(57)【特許請求の範囲】
【請求項１】
グリル付きコンロに設けられ、グリル庫の前面開口を開閉自在とするグリル扉であって、該グリル庫内を外部から視認可能とする窓部が形成された扉枠と、該扉枠の窓部に保持されたガラス板と、該ガラス板の下縁側に位置して前記扉枠に連結されたパネル部材と、該パネル部材の前方に設けられた把持部材とを備えるグリル扉において、
前記把持部材は、前記パネル部材から所定の空隙を存して該パネル部材に沿って延びる横長の握り部と、該握り部の両端部から前記パネル部材に向かって延び、その先端が前記パネル部材に連結された連結部とを備え、
前記パネル部材は、前記把持部材側の前面寄りの内部に断熱用空気層を形成する中空部を備えることを特徴とするグリル扉。
【請求項２】
前記パネル部材は、前記把持部材の連結部を連結して該把持部材を支持する基体部と、該基体部の把持部材側の前面を覆う前面板とを備え、
前記中空部は、前記基体部の前面に形成された凹部を前記前面板で覆うことにより形成されていることを特徴とする請求項１記載のグリル扉。
【請求項３】
前記中空部は、前記把持部材の握り部に対向する位置に形成されていることを特徴とする請求項１又は２記載のグリル扉。
【請求項４】
前記パネル部材には、前記中空部の内部の空気を該パネル部材の外部に放出自在の空気流通路が設けられていることを特徴とする請求項１乃至３の何れか１項記載のグリル扉。
【発明の詳細な説明】
【技術分野】
【０００１】
本発明は、グリル付コンロに設けられたグリル庫を開閉するグリル扉に関する。
【背景技術】
【０００２】
従来、この種のグリル扉においては、上半部にガラス板が嵌め込まれた窓部を有する扉枠を備え、下半部に樹脂製のパネル部材が設けられ、更に、このパネル部材の前面側に左右方向に延びる棒状の握り部を備える把持部材が取り付けられているものが知られている（例えば、特許文献１参照）。この種の把持部材は、その握り部とパネル部材との間に使用者の手が挿通可能な空隙を存して設けられているため、グリル扉の握り部が握りやすく、手の力が十分でなくても把持力を効果的に用いることができる。これにより、調理物の載った焼き網とその下方にある汁受け皿とをグリル扉と共に引出して開閉操作を行う所謂引出し式のグリル扉に好適に採用されている。
【０００３】
ところで、開閉操作の際に使用者が握り部とパネル部材との間に手を挿通させて握り部を握るものにあっては、不用意に握り部を握るとパネル部材に手が触れることがある。そしてこのとき、グリル庫内の熱源から熱を受けたパネル部材が熱くなっていると、使用者に対して不快感を与えたり、使用者が握り部から手を離したりしてグリル扉の円滑な開閉操作ができないおそれがある。
【特許文献１】特開２００１−５９６１９号公報
【発明の開示】
【発明が解決しようとする課題】
【０００４】
本発明は、上記の点に鑑み、パネル部材に触れた使用者が受ける熱さによる不快感を軽減してグリル扉の開閉操作を円滑に行うことができるグリル扉を提供することを課題とする。
【課題を解決するための手段】
【０００５】
かかる目的を達成するために、本発明は、グリル付きコンロに設けられ、グリル庫の前面開口を開閉自在とするグリル扉であって、該グリル庫内を外部から視認可能とする窓部が形成された扉枠と、該扉枠の窓部に保持されたガラス板と、該ガラス板の下縁側に位置して前記扉枠に連結されたパネル部材と、該パネル部材の前方に設けられた把持部材とを備えるグリル扉において、前記把持部材は、前記パネル部材から所定の空隙を存して該パネル部材に沿って延びる横長の握り部と、該握り部の両端部から前記パネル部材に向かって延び、その先端が前記パネル部材に連結された連結部とを備え、前記パネル部材は、前記把持部材側の前面寄りの内部に断熱用空気層を形成する中空部を備えることを特徴とする。
【０００６】
本発明によれば、パネル部材の前面寄りの内部に前記中空部による断熱用空気層が形成されるので、グリル庫内の熱源から受ける熱がパネル部材の前面側に伝達されるのを抑制することができ、パネル部材の把持部材側の面が高温となることが防止できる。これによって、把持部材の握り部を把持する際に指先がパネル部材に触れても、使用者は熱さによる不快感を生じることなくグリル扉の開閉操作を行うことができる。
【０００７】
また、本発明において、前記パネル部材は、前記把持部材の連結部を連結して該把持部材を支持する基体部と、該基体部の把持部材側の前面を覆う前面板とを備え、前記中空部は、前記基体部の前面に形成された凹部を前記前面板で覆うことにより形成されていることを特徴とする。
【０００８】
本発明によれば、前面板と基体部との間に前記凹部による断熱用空気層が形成されるので、グリル庫内の熱源から受ける熱が基体部から前面板に伝達されるのを抑制することができ、前面板が高温となることが防止できる。これによって、把持部材の握り部を把持する際に指先が前面板に触れても、使用者は熱さによる不快感を生じることなくグリル扉の開閉操作を行うことができる。しかも、基体部に凹部を形成してこれを前面板で覆うだけで前記中空部を形成することができ、構造簡単で製造も容易である。
【０００９】
また、本発明において、前記中空部は、前記把持部材の握り部に対向する位置に形成されていることが好ましい。使用者がグリル扉の開閉のために把持部材の握り部を把持するとき、使用者の指先は、把持部材の握り部に対向する位置のパネル部材の前面に最も触れやすい。そこで、パネル部材において使用者の指先が最も触れやすい位置、即ち、把持部材の握り部に対向する位置に前記中空部を形成しておくことにより、グリル庫内の熱源から受ける熱により基体部が熱くなっても、中空部の断熱用空気層により使用者の指先が最も触れやすい位置のパネル部材の前面への熱の伝達を抑制することができる。
【００１０】
そして、中空部が基体部の凹部とこの凹部を覆う前面板とで構成した場合には、凹部による断熱用空気層を必要な位置にのみ設けることにより、基体部の前面側全体に対して凹部を比較的小さくすることができ、基体部の強度低下を防止することができる。更に、基体部の前面側における凹部以外の面を比較的広く得ることができ、例えば、凹部以外の面を用いて基体部に前面板を接着する場合に、接着剤を比較的広い範囲に塗布することが可能となるので、前面板の基体部への取付状態を強固とすることができて有利である。
【００１１】
また、本発明において、前記パネル部材には、前記中空部の内部の空気を該パネル部材の外部に放出自在の空気流通路が設けられていることが好ましい。これによれば、グリル庫からの熱がパネル部材に伝達されて、中空部内の空気が膨張したとき、膨張した空気を空気流通路を通してパネル部材の外部へ放出させることができる。従って、例えば、中空部内の空気の膨張に伴うパネル部材の変形等を防止することができ、パネル部材の体裁を良好に保つことができる。
【発明を実施するための最良の形態】
【００１２】
本発明の一実施形態を図面に基づいて説明する。図１は本実施形態のグリル扉を備えるグリル付きガスコンロの正面図、図２はグリル扉の斜視図、図３は図２のIII−III線断面図、図４はグリル扉の要部の分解斜視図である。
【００１３】
図１に示すように、本実施形態のグリル扉１は、グリル付きコンロ２の前面側の中央部に設けられ、グリル付きコンロ２の内部に設けられた図示しないグリル庫の前面開口を開閉するものである。グリル付きコンロ２は、システムキッチンのカウンタトップ（図示せず）に組み込むドロップイン式であり、上面を開放面とする箱形のコンロ本体３を備えている。コンロ本体３の上部には天板４が設けられ、天板４からはコンロ本体３に支持されたコンロバーナ５，６，７が上方に露出している。グリル付きコンロ２の前面側におけるグリル扉１の両側には、各コンロバーナ５，６，７用の操作スイッチ８，９，１０や、グリル庫内の図示しないグリルバーナ用の操作スイッチ１１等が設けられている。
【００１４】
グリル扉１は、図２及び図３に示すように、扉枠１２と、扉枠１２に開設した窓部１３と、窓部１３を覆うガラス板１４と、ガラス板１４の下縁側に位置して扉枠１２に連結されたパネル部材１５と、パネル部材１５の前面側に設けられた把持部材１６とを備えている。
【００１５】
また、グリル扉１は、図示しないが、グリル庫内に収納するグリル皿を抱持する引出し枠の前端に連結されている。これにより、図１に示す状態からグリル扉１を前方に引いたとき、グリル庫の前面開口が開かれると共に、引出し枠を介してグリル皿がグリル庫から引き出されるようになっている。
【００１６】
扉枠１２は、鋼板のプレス成形品で構成されており、図３に示すように、前方に凹入する凹入部１７を形成して、凹入部１７の前端面に窓部１３を開設している。また、扉枠１２の上端には、ガラス板１４の上縁を受ける上サッシュ部１８が曲成されている。また、扉枠１２の凹入部１７の下方にはパネル部材１５用の取付け板部１９が延設されている。
【００１７】
パネル部材１５は、耐熱樹脂製の基体部２０と、基体部２０の前面を覆う耐熱樹脂製の薄板から成る前面板２１とで構成されている。なお、前面板２１は、接着剤により基体部２０の前面に貼り付けられると共に、その両端部が後述するように把持部材１６により基体部２０に固定される。基体部２０の裏面には、扉枠１２に対する連結ボス部２２が突設されている。そして、基体部２０は、連結ボス部２２において扉枠１２の取付け板部１９にねじ部材２３によりねじ止めされる。
【００１８】
基体部２０の上部には、ガラス板１４の下縁を受ける下サッシュ部２４が形成されている。なお、下サッシュ部２４から基体部２０の裏面に沿って金属製の遮熱板２５が設けられており、ガラス板１４は遮熱板２５を介して下サッシュ部２４に支持される。これにより、ガラス板１４は扉枠１２の上サッシュ部１８と基体部２０の下サッシュ部２４とで上下から位置決め保持される。
【００１９】
また、基体部２０には、図４に示すように、把持部材１６を連結するために形成された左右一対の有底の連結穴２６が形成されている。また、両連結穴２６の間には左右に延びる凹部２７が形成されている。更に、前面板２１には、各連結穴２６に対応する一対の透孔２８が形成されている。前面板２１を基体部２０の前面に取り付けると、基体部２０の各連結穴２６は夫々前面板２１の透孔２８により開放され、基体部２０の凹部２７は前面板２１により閉塞されて中空の断熱用空気層が形成される。よって本実施形態においては、凹部２７と前面板２１とによって本発明の中空部が構成される。
【００２０】
把持部材１６は、耐熱樹脂製であり、図４に示すように、左右に延びる棒状の握り部２９と、握り部２９の両端からパネル部材１５の基体部２０に向かって延びる一対の連結部３０とが形成されている。握り部２９は、図３に示すように、パネル部材１５の前面板２１から使用者の手を通すことができる空隙を存して設けられている。また、図４に示すように、連結部３０の先端には基体部２０の連結穴２６に対応する連結凸部３１が形成されており、基体部２０にねじ止めされる。基体部２０の各連結穴２６の低部には後方からねじ部材３２を挿入するためのねじ用孔３３が形成されており、把持部材１６の連結凸部３１を、前面板２１の透孔２８に挿通して基体部２０の各連結穴２６に挿着し、ねじ部材３２によりねじ止めすることにより、把持部材１６が基体部２０に強固に連結される。更に、把持部材１６の連結部３０には連結凸部３１の基端に段差部３４が形成されており、この段差部３４と基体部２０の連結穴２６の周囲の面とにより前面板２１が挟み込まれて固定されるようになっている。
【００２１】
ここで、使用者がグリル扉１を開閉する際には、把持部材１６の握り部２９を逆手或いは順手で把持する。このとき、使用者の指先は、把持部材１６の握り部２９に対向する位置の前面板２１に触れやすい。一方、基体部２０の凹部２７は、図３及び図４に示すように、把持部材１６の握り部２９に対向する位置に形成されている。そして、基体部２０の凹部２７は前面板２１により閉塞されて中空の断熱用空気層が形成される。これにより、グリル庫内の熱源から受ける熱により基体部２０が熱くなっても、握り部２９に対向する使用者の指先が触れやすい位置の前面板２１への熱の伝達が断熱用空気層により抑えられる。従って、把持部材１６の握り部２９を把持する際に誤って指先が前面板２１に触れても、使用者の熱さによる不快感を軽減することができる。
【００２２】
また、図３に示すように、基体部２０の裏面には金属製の遮熱板２５が設けられていることで、グリル庫内からの熱が基体部２０に伝達されることをある程度抑制されるようになっているが、前記基体部２０の凹部２７による断熱用空気層を設けることにより前面板２１が高温になることが抑えられるので、部品点数を少なくし且つグリル扉１の軽量化を図る必要がある場合には遮熱板２５を廃することも可能となる。そして、図３及び図４に示すように、把持部材１６の握り部２９に対向する位置に凹部２７を設けたので、基体部２０の前面側全体に対して凹部２７が設けられた範囲が比較的小さく、凹部２７を設けたことによる基体部２０の強度低下を防止することができる。
【００２３】
更に、該凹部２７の下方には比較的広い平面部３５を設けることができ、この平面部３５において接着剤の塗布範囲を十分に確保して前面板２１をより強固な取付状態とすることができる。なお、図４に示すように、本実施形態においては、使用者の指先が触れやすい位置として把持部材１６の握り部２９に対向する位置に凹部２７を設け、ここに前面板２１により閉塞された断熱用空気層を形成するようにしたが、その他、凹部２７をその下方にまで拡張して更に大きな範囲に断熱用空気層を形成するようにしてもよい。
【００２４】
また、基体部２０にグリル庫からの熱が伝達されると、前面板２１により閉塞された凹部２７内の空気が膨張する。そこで、本実施形態においては、基体部２０の連結穴２６やその周囲においては接着剤を塗布せず、前面板２１の透孔２８を介した把持部材１６の連結部３０と前面板２１との間や、連結穴２６と連結凸部３１との間に僅かな隙間が形成されるようにしておき、これらの隙間を、凹部２７内の空気を放出させるための空気流通路としている。こうすることにより、凹部２７内の空気の膨張による前面板２１の浮き上がりや変形を防止することができ、体裁を損なうことはない。
【００２５】
なお、それ以外に、図示しないが、基体部２０の連結ボス部２２のねじ穴底部を凹部２７内で開放させておき、ねじ部材２３と連結ボス部２２との螺合状態での隙間を介して凹部２７内の空気を基体部２０の裏面側に逃がすようにしてもよい。或いは、凹部２７の底部に基体部２０の裏面側に連通する極小さな連通穴を設けておき、これを空気流通路としてもよい。
【００２６】
また、本実施形態においては、凹部２７と前面板２１とによって本発明の中空部とした例を挙げたが、本発明の中空部はこれに限るものではなく、パネル部材１５の内部に断熱用空気層を形成する構成であればよい。即ち、図示しないが、基体部の前面寄りの内部に中空部を形成してもよい。これによれば、前記前面板を備えていないパネル部材にも中空部を設けることができて同様の効果が得られる。そしてこの場合においても、前述したものと同様の空気流通路を設けることで、中空部内の空気の膨張によるパネル部材の変形を防止することができる。
【００２７】
また、本実施形態においては、ドロップイン式のグリル付コンロに設けるグリル扉１に本発明を適用して説明したが、卓上式のグリル付コンロに設けるグリル扉にも同様に本発明を適用できる。
【図面の簡単な説明】
【００２８】
【図１】本発明の一実施形態のグリル扉を備えるグリル付きガスコンロの正面図。
【図２】グリル扉の斜視図。
【図３】図２のIII−III線断面図。
【図４】グリル扉の要部の分解斜視図。
【符号の説明】
【００２９】
１…グリル扉、２…グリル付きコンロ、１２…扉枠、１３…窓部、１４…ガラス板、１５…パネル部材、１６…把持部材、２０…基体部、２１…前面板、２７…凹部、２９…握り部、３０…連結部。
【図４】
0004833244.tif 000002
【図１】
0004833244.tif 000003
【図２】
0004833244.tif 000004
【図３】
0004833244.tif 000005